(57)【特許請求の範囲】
【請求項１】
眼内レンズを設置するレンズ設置部と前記眼内レンズを変形させる移行部と前記眼内レンズを放出するノズル部とからなる本体と、
前記レンズ設置部に設置された眼内レンズを押し出すレンズ押出機構と
を備えた眼内レンズ挿入用器具において、
前記レンズ押出機構は、眼内レンズを押し出すプランジャーと、該プランジャーより大きなレンズ当接部を有するスライダーとからなり、
前記スライダーは、前記本体の外側に突出した操作部を備えるとともに、眼内レンズの光学部の一面を押え、前記眼内レンズを一定方向に変形させるレンズ押え部を備え、
前記操作部を操作して前記スライダーをレンズ進行軸方向へ移動させることにより眼内レンズを変形させ、前記プランジャーにより前記ノズル部から前記眼内レンズを放出することを特徴とする眼内レンズ挿入用器具。
【請求項２】
前記レンズ押え部は、移行部に移動した眼内レンズのみを押えるように構成したことを特徴とする請求項１記載の眼内レンズ挿入用器具。
【請求項３】
前記レンズ押え部は、前記スライダーとヒンジ機構により連結され、前記本体の側壁側へ付勢されており、前記移行部により前記眼内レンズの光学部側へ変形するように構成したことを特徴とする請求項２記載の眼内レンズ挿入用器具。
【請求項４】
前記プランジャーをロックするロック機構を備え、前記ロック機構はスライダーを移動させることにより解除可能となるように構成したことを特徴とする請求項１〜３のいずれか１項記載の眼内レンズ挿入用器具。
【請求項５】
前記ロック機構は、前記スライダーを移動させるとスライダーに連動して解除されることを特徴とする請求項４記載の眼内レンズ挿入用器具。
【発明の詳細な説明】
【技術分野】
【０００１】
本発明は、白内障手術後の無水晶体眼に対して、眼内レンズを挿入するために使用される眼内レンズ挿入用器具、または、屈折矯正手術において有水晶体眼内レンズを挿入するために使用される眼内レンズ挿入用器具に関するものである。
【背景技術】
【０００２】
白内障手術においては、超音波乳化吸引（PEA）による混濁した水晶体の除去、および水晶体除去後の眼内への眼内レンズの埋植が広く行われている。眼内レンズにはその光学部がPMMAなどの硬質の材料からなる硬質眼内レンズと、シリコーンエラストマー、軟性アクリルなどの柔らかい材料からなる軟性眼内レンズとがある。硬質眼内レンズを使用する際には光学部の径とほぼ同じ幅の切開創を角膜、あるいは強膜に作製してレンズを挿入しなければならないのに対し、軟性眼内レンズを使用する際には光学部を折り畳むことにより光学部の径より小さな切開創から挿入することができる。手術後の角膜乱視や感染症を低減するためには、小さな切開創からレンズが挿入されることが好ましく、現在では軟性眼内レンズが好まれる傾向にある。また、レンズを眼内に入れるために、細長い筒の中を通してレンズを眼内へ導入する構造を有した専用のインジェクターが使用されることもある。このような眼内レンズ専用のインジェクターを使用することにより、3mmより小さい切開創口からレンズを入れることが可能である。
【０００３】
更に最近では、レンズの取扱時における細菌による汚染や、レンズの取扱時に起りうる操作ミスの可能性を排除するために、レンズが予めインジェクター内にセットされているプリセット型インジェクターが発売されている。このプリセット型インジェクターにおいては、出荷時のレンズの固定状態から使用時のレンズの稼働状態に移行するために、光学部に応力をかけない状態で内部に保持する機構と、押し出し機構により押し出し可能な位置に移動させるためのレンズ移動機構を有するものがある（例えば特許文献１および２）。
【０００４】
ところが、上記特許文献１または２においては、使用時にレンズを保持状態から押出し可能な位置に移動する必要があり、移動操作に伴う誤作動が生じるという懸念があった。このような問題点を解決するものとして、押出軸と、押出軸とレンズの軸ぶれを防止する姿勢制御部材とを、互いに連動可能に配し、互いの連動が所定位置にて解除されることを特徴とする眼内レンズ挿入器具が開示されている（例えば特許文献３）。この特許文献３では、閉鎖空間内であるインジェクター内で連動している押出軸と姿勢制御部材の２つの部材を所定の位置で解除させるための特別な機構が必要となる。また、可撓性眼内レンズを小さい断面形状に横方向に圧縮するための機構を備えていることを特徴とした眼内レンズ挿入器具が開示されている（例えば特許文献４）。
【先行技術文献】
【特許文献】
【０００５】
【特許文献１】特開２００３−３２５５７０号公報
【特許文献２】特開２００３−３２５５７２号公報
【特許文献３】特開２００４−２４８５４号公報
【特許文献４】特表２００１−５０２５６３号公報
【発明の概要】
【発明が解決しようとする課題】
【０００６】
しかし、上記した特許文献３においても、連動の開始及び解除が所定位置以外で行なわれる可能性があり、ユーザに不安感を与え、所定位置以外で連動が解除された場合、たとえば所定位置より手前側で連動が解除された場合には姿勢制御部材も所定位置より手前側で停止してしまうので、押出軸の姿勢を十分に制御することができず、押出軸の軸がずれた状態でレンズを押し出してしまうという可能性がある。また、レンズを折り畳むための移行部は、レンズに局所的な負荷をかけないようにするため、緩やかに形成する必要があるが、この移行部に姿勢制御部材が当接することにより連動を解除することとすると、摺動抵抗のばらつきにより連動が解除される位置もばらつくこととなる。したがって、連動の開始、及び解除を所定位置で行うには、押出軸及び姿勢制御部材の引張り強さなどの物理的性質が制限されると共に、各構成部品には高度な精度が要求されるので、コスト高となるという懸念があった。さらに、生産工程において、押出軸と姿勢制御部材との連動が誤って既に解除された状態で組み立てられたとしても、組み立てられた状態ではその組立不良に気付きにくく、そのまま出荷されてしまうという懸念があった。
【０００７】
また、上記した特許文献４においても、眼内レンズが圧縮された状態から眼内にて開放されたときに眼内を損傷しないために、眼内レンズの対向する側端部を概して平面関係に維持するための保持器を備えていることを第一の特徴としているが、そのような形状にした場合、設置部、および筒部の細かい部分に眼内レンズが押込まれると、レンズに非常に大きな負荷がかかり、そのためにレンズが損傷する可能性がある、という問題があった。
【０００８】
そこで本発明は上記した問題点に鑑み、より簡単な構成で確実かつ安全にレンズの押し出し操作を行うことができる眼内レンズ挿入用器具を提供することを目的とする。
【課題を解決するための手段】
【０００９】
上記目的を達成するために、請求項１に係る発明は、眼内レンズを設置するレンズ設置部と前記眼内レンズを変形させる移行部と前記眼内レンズを導入するノズル部とからなる本体と、前記レンズ設置部に設置された眼内レンズを押し出すレンズ押出機構とを備えた眼内レンズ挿入用器具において、前記レンズ押出機構は、眼内レンズを押し出すプランジャーと、該プランジャーより大きなレンズ当接部を有するスライダーとからなり、前記スライダーは、前記本体の外側に突出した操作部を備えるとともに、眼内レンズの光学部の一面を押え、前記眼内レンズを一定方向に変形させるレンズ押え部を備え、前記操作部を操作して前記スライダーを移動させることにより眼内レンズを変形させ、前記プランジャーにより前記ノズル部から前記眼内レンズを放出することを特徴とする。
【００１０】
また、請求項２に係る発明は、前記レンズ押え部が、移行部に移動した眼内レンズのみを押えるように構成したことを特徴とする。
【００１１】
また、請求項３に係る発明は、前記レンズ押え部が、前記スライダーとヒンジ機構により連結され、前記本体の側壁側へ付勢されており、前記移行部により前記眼内レンズの光学部側へ変形するように構成したことを特徴とする。
【００１２】
また、請求項４に係る発明は、前記プランジャーをロックするロック機構を備え、前記ロック機構はスライダーを移動させることにより解除可能となるように構成したことを特徴とする。
【００１３】
また、請求項５に係る発明は、前記ロック機構が、前記スライダーを移動させるとスライダーに連動して解除されることを特徴とする。
【発明の効果】
【００１４】
本発明の請求項１に記載の眼内レンズ挿入用器具によれば、操作部を操作してスライダーを移動させ、次いで、プランジャーにより眼内レンズを放出するので、より簡単な構成で確実かつ安全に眼内レンズの押し出し操作を行うことができる。また、眼内レンズを一定方向に折り畳むことができるので、不具合を防止し、より確実に眼内レンズを挿入することができる。
【００１５】
また、請求項２に記載の眼内レンズ挿入用器具によれば、使用時にのみ眼内レンズの光学部を押え、未使用状態ではレンズ押え部が眼内レンズの光学部を押えることがないので、長期間の保存においても、軟性材料の永続的な変形を抑制することができる。
【００１６】
また、請求項３に記載の眼内レンズ挿入用器具によれば、簡単な構成で、確実に移行部へ移動した眼内レンズの一面を押えることができる。さらに、レンズ押え部が本体の側壁側に付勢されていることにより、レンズ設置部へ眼内レンズを容易に設置できるという工程上のメリットも有する。
【００１７】
また、請求項４に記載の眼内レンズ挿入用器具によれば、スライダーを移動させる前に誤ってプランジャーを押し出してしまうことを防ぐことができるので、操作の確実性を向上することができる。
【００１８】
また、請求項５に記載の眼内レンズ挿入用器具によれば、スライダーの移動に連動してロック機構が解除されるので、操作性を向上することができる。
【図面の簡単な説明】
【００１９】
【図１】本発明の第１実施例に係る眼内レンズ挿入用器具の全体構成を示す図であり、（Ａ）側面図、（Ｂ）平面図である。
【図２】スライダーの構成を示す斜視図である。
【図３】スライダーとレンズとの位置関係を示す部分拡大図であり、（Ａ）縦断面図、（Ｂ）平面図である。
【図４】押出機構の動作の様子を段階的に示す部分拡大縦断面図である。
【図５】本発明の第２実施例に係る眼内レンズ挿入用器具を示す図であり、（Ａ）正面図、（Ｂ）底面図である。
【図６】ロック部材の構成を示す斜視図である。
【図７】プランジャーをロックする様子を段階的に示す斜視図である。
【図８】本発明の第３実施例に係る眼内レンズ挿入用器具を示す図であり、（Ａ）部分横断面図、（Ｂ）プランジャーの縦断面図、（Ｃ）（Ａ）におけるＡ−Ａ断面図である。
【図９】ロックを解除した状態を示す図であり、（Ａ）横断面図、（Ｂ）（Ａ）におけるＢ−Ｂ断面図である。
【図１０】ロックを解除した状態で、プランジャーを押し出した様子を示す横断面図である。
【図１１】本発明の第４実施例に係る眼内レンズ挿入用器具を示す横断面図であり、（Ａ）スライダーとプランジャーとが連動する前、（Ｂ）スライダーとプランジャーとが連動して移動する状態を示す図である。
【発明を実施するための形態】
【００２０】
以下図面を参照して、本発明の好適な実施形態について説明する。
【実施例１】
【００２１】
先ず、本発明の第１実施例について説明する。図１に示す眼内レンズ挿入用器具１は、変形可能な眼内レンズ２（以下、レンズ２という）を眼内に安全かつ速やかに送り出すために使用されるものであり、主にレンズ２が眼内レンズ挿入用器具１内に予めセットされているプリセット型眼内レンズ挿入用器具１である。具体的には、レンズ２を設置し該レンズ２を眼内へ挿入する本体３と、前記レンズ２設置部に設置されたレンズ２を押し出すレンズ押出機構４とを備える。尚、本実施例で示す前記レンズ２は光学部2aとループ部2bとからなるレンズを使用している。
【００２２】
前記本体３は筒状の基端部材５と、前記基端部材５に対し先細の先端部材６とからなる。この基端部材５と先端部材６とは、係合部７において着脱自在に一体化されている。また、本体３の材質は種々のものを用いることができ、例えばステンレス鋼、チタン等の金属だけでなく、合成樹脂なども用いることができる。
【００２３】
基端部材５は、一端に設けられたレンズ設置部８と、筒状の側壁に形成された長手方向に延びるスリット９とを備える。レンズ設置部８は、基端部材５の一端に突設された板状の部材からなる。スリット９は、基端部材５の一端の端部から略中央まで形成されている。また、基端部材５の外周には、後述するグリップ部が係合する係合突起10が設けられている。
【００２４】
先端部材６は、前記レンズ設置部８に設置されたレンズ２を眼内へ挿入するノズル部11と、前記ノズル部11と前記基端部材５とを接続する移行部12とからなる。移行部12は、先端に向かって先細となるすり鉢形状を有し、その先端でノズル部11に接続している。ノズル部11は、その外径が切開創口と略同径に形成される。レンズ２はレンズ押出機構４によって押し出されて前記移行部12を通過する際に、折り畳まれる。また、先端部材６には後述するスライダーを所定位置で停止させるストッパ13が設けられている。このストッパ13は、スライダーの操作部に係止する突起からなる。
【００２５】
前記レンズ押出機構４は、レンズ２を挿入する初期動作を行うスライダー15と、レンズ２を眼内に挿入するプランジャー16とからなる。
【００２６】
プランジャー16は、前記スライダー15で折り畳まれたレンズ２を眼内へ挿入するもので、レンズ２を押し出す押出杆17と、前記押出杆17の基端に設けられたグリップ部18とにより構成される。前記押出杆17はグリップ部18に穿設された穴19に遊嵌され、穴19の底でグリップ部18に軸支されている。この穴19には雌ネジ19aが形成されている。グリップ部18に形成された雌ネジ19aは、前記係合突起10に螺合するように構成されている。係合突起10は、前記雌ネジ19aに螺合する雄ネジの一部の形状で構成されている。このように、係合突起10が雄ネジの一部で構成されていることにより、前記スリット９などに係合突起10が干渉するのを防ぐことができるとともに、確実に雌ネジ19aが螺合してグリップ部を押込むことができる。これによりグリップ部18が押出杆17をレンズ進行軸Ａ方向に押し出す構成となっている。また、グリップ部18は、プランジャー16を押し出し易い形状に形成される。
【００２７】
スライダー15は、図２に示すように、レンズ２に局所的な負荷をかけずにレンズ設置部８に設置されたレンズ２を本体３の先端側へ押し出すと共に、所定方向に折り畳むことができるように構成されている。このスライダー15は、前記プランジャー16より大きな面積でレンズ２に当接するレンズ当接部20と、前記プランジャー16をレンズ進行軸Ａに沿って支持する挿通部であるガイド溝21と、本体３に設けられたスリット９に係合し、スライダー15をレンズ進行軸Ａに沿って支持する翼部22と、スライダー15の押出及び戻し操作を行なう操作部23と、レンズ２のループ部2bを係止するループガイド24と、レンズ押え部25とを有する。
【００２８】
前記レンズ当接部20は、レンズ２の外径と略同径の曲率半径を有する円弧の一部により構成され、レンズ２と面接触することによりレンズ２に局部的なストレスを与えることなく、円滑に初期動作を行なうことができる構成となっている。
【００２９】
前記ガイド溝21は、前記プランジャー16がガイド溝21に摺動可能、かつ前記レンズ当接部20よりプランジャー16先端が突出可能に形成される。このガイド溝21はスライダー15の一面の長さ方向の略中央であって、全長にわたって形成され、レンズ進行軸Ａに平行な溝で構成される。このガイド溝21の断面は、前記プランジャー16の外形と略同形状に形成される。ガイド溝21の基端には、扇状の導入路21aが形成されている。これにより、押出杆17は、前記スライダー15に形成されたガイド溝21に挿通され、ガイド溝21内をスライダー15の長手方向に摺動する。尚、ガイド溝21はレンズ進行軸Ａに平行に貫通する穴であってもよい。
【００３０】
前記翼部22は、前記スリット９に係合することにより、スライダー15を本体３略中央に保持し、かつ、スライダー15をレンズ進行軸Ａに沿って移動可能とする。したがって、プランジャー16は、本体３の中央に保持され、ガイド溝21によりレンズ進行軸Ａに沿って移動が可能となる。スライダー15の移動は前記操作部23により容易に行なわれる。
【００３１】
操作部23は、レンズ進行軸Ａに対し左右一対として設けられ、前記翼部22の端部に連設され前記基端部材５から外側に突出するように形成されている。この操作部23は、前記本体３の先端に向かって外側へ膨出形成されており、操作部23の表面には、図示しないが、レンズ進行軸Ａに対し略直角方向に複数の縦溝が形成されている。
【００３２】
前記ループガイド24は、前記ガイド溝21が形成されていないスライダー15の他面に形成されており、レンズ２のループ部2bを係止することにより、レンズ２を固定する。このループガイド24は、湾曲したループ部2bに相似して形成された溝でなり、ループ部2bに物理的な負荷を与えないように、スライダー15の先端側に湾曲状に形成されている。
【００３３】
レンズ押え部25は、レンズ２を押し出すときにのみレンズ２の一面を押えることにより、レンズ２を一定方向に折り畳むことができるようにするものである。すなわち、眼内に挿入された際に前面になるレンズ２の一面を、レンズ押え部25で押すことによりレンズ２はノズル部11内で一面を内側として折り畳まれることになるので、確実にレンズ２を水晶体嚢内に挿入できる形状に変形させることができる。このレンズ押え部25は、図３に示すように、ヒンジ機構28を介してスライダー15の先端に設けられ、側面視で上下方向に揺動自在に設けられる。ヒンジ機構28は、レンズ押え部25とレンズ当接部20との接続部分をスライダー15の幅方向に薄肉とする先細の溝で構成される。このヒンジ機構28を介して、レンズ押え部25は側面視で上方に付勢されている。これにより、レンズ２がノズル部11内を移動する際、レンズ２の一側を押えてレンズ２を一定方向に折り畳むことができる。
【００３４】
また、前記ループガイド24は、プランジャー16がループ部2bに当接しないように形成されている。具体的には、スライダー15の一面に形成されているガイド溝21とスライダー15の他面に形成されているループガイド24との間に隔壁29が形成されている。これにより、プランジャー16がループガイド24に係止したループ部2bに当接することがなく、ループ部2bがプランジャー16に押され、破損してしまうことを防止することができる。
【００３５】
次に、このように構成された眼内レンズ挿入用器具１の組み立て手順について説明する。先ず、基端部材５にスライダー15を組み付ける。基端部材５にスライダー15を組み付けるには、基端部材５の一端の端部からスリット９に翼部22を係合し、スリット９の基端までスライダー15を押込む。次いで、基端部材５の他端からプランジャー16を挿入する。このとき、プランジャー16先端は基端部材５に設置されたスライダー15の先端から突出しない位置に合わせる。次いで、レンズ２のループ部2bをスライダー15に形成されたループガイド24に係止し、レンズ２をレンズ設置部８に設置する。レンズ設置部８に設置されたレンズ２は、図３（Ａ）に示すように、レンズ押え部25がヒンジ機構28により先端部材６の内壁方向に付勢されていることにより、レンズ押え部25がレンズ２の光学部2aに当接しない状態で配置される。次いで、先端部材６と基端部材５とを係合部７において一体化する。このようにしてレンズ２に負荷をかけることなく、確実に眼内レンズ挿入用器具１を組み立てることができる。
【００３６】
次いで、上記のようにレンズ２を組み付けた眼内レンズ挿入用器具１を滅菌する。滅菌は、眼内レンズ挿入用器具１を図示しない滅菌バッグに入れ、該滅菌バッグ内にエチレンオキシドガス（以下、ＥＯＧという）を充満させて行う。ＥＯＧを充満させた滅菌バッグ内において、基端部材５にスリット９を設けたことによって、該スリット９からＥＯＧが眼内レンズ挿入用器具１内に入り込むため、滅菌用のＥＯＧを内部へ導入するための孔を設けなくともＥＯＧを内部に導入することができ、内部まで確実に滅菌を行なうことができる。
【００３７】
次に、上記構成の作用について説明する。滅菌バッグから眼内レンズ挿入用器具１を取り出したら、先ず、操作部23を押し出して、スライダー15をレンズ進行軸Ａ方向に移動させる。スライダー15を移動させると、レンズ押え部25が移行部12の内壁に押され、側面視で下方に揺動し、レンズ２の光学部2aの一面を押える（図４（Ｂ））。スライダー15がレンズ２を押し出す際、レンズ押え部25が光学部2aの一面を押えることによって、レンズ２を一定方向に折り畳むことができる。スライダー15がストッパ13に当接し、停止したら、プランジャー16を押し出す（図４（Ｃ））。プランジャー16を押し出すには、まず、グリップ部18を押し出し、係合突起10に雌ネジ19aを螺合する。次いで、グリップ部18を回動する。グリップ部18を回動すると、グリップ部18が基端部材５の他端からレンズ進行軸Ａ方向に移動する。グリップ部18が基端部材５の他端からレンズ進行軸Ａ方向に移動すると、グリップ部18に押されて押出杆17がレンズ進行軸Ａ方向に移動し、プランジャー16が押し出される。このようにして、レンズ２はプランジャー16により押され細いノズル部11を通ることによって折り畳まれる。このようにレンズ２が折り畳まれた状態でさらにプランジャー16を押し出すことによって、レンズ２が眼内へ挿入される。プランジャー16を押し出す際、ガイド溝21とループガイド24との間には隔壁29が設けられているので、プランジャー16がループ部2bを押すことがなく、ループ部2bを破損してしまうことを防止できる。
【００３８】
上記のように本実施例によれば、眼内レンズ挿入用器具１は、レンズ２を設置するレンズ設置部８と前記レンズ２を変形させる移行部12と前記レンズ２を導入するノズル部11とからなる本体３と、前記レンズ設置部８に設置されたレンズ２を押し出すレンズ押出機構４とを備え、前記レンズ押出機構４は、レンズ２を押し出すプランジャー16と、該プランジャー16より大きなレンズ当接部20を有するスライダー15とからなり、前記スライダー15は、前記本体３の外側に突出した操作部23を備え、前記操作部23を操作して前記スライダー15を移動させることによりレンズ２を変形させて、前記プランジャー16により前記ノズル部11から前記レンズ２を放出することとしたから、より簡単な構成で確実かつ安全にレンズ２の押し出し操作を行うことができる。
【００３９】
また、前記操作部23は、前記本体３の相対向する側面から外側に突出していることとしたから、操作部23を両側から指で挟んでスライダー15を移動させることができるので、操作の確実性を向上することができる。
【００４０】
また、前記スライダー15は、レンズ２の光学部2aの一面を押え、前記レンズ２を一定方向に変形させるレンズ押え部25を備えることとしたから、レンズ２を一定方向に折り畳むことができるので、不具合を防止し、より確実にレンズ２を挿入することができる。
【００４１】
また、前記レンズ押え部25は、移行部12に移動したレンズ２のみを押えるように構成したから、使用時にのみレンズ２の光学部2aを押え、未使用状態ではレンズ押え部25がレンズ２の光学部2aを押えることがないので、長期間の保存においても、軟性材料の永続的な変形を抑制することができる。
【００４２】
また、前記レンズ押え部25は、前記スライダー15とヒンジ機構28により連結され、前記本体３の側壁側へ付勢されており、前記移行部12により前記レンズ２の光学部2a側へ変形するように構成したから、簡単な構成で、確実に移行部12へ移動したときにのみレンズ２の一面を押えることができる。
【００４３】
また、前記スライダー15は、前記プランジャー16を挿通するガイド溝21を備えることとしたから、プランジャー16の軸ぶれを防いで、確実にレンズ２を放出することができる。
【００４４】
また、前記レンズ２は光学部2aに一対のループ部2bを備え、前記スライダー15は、前記ループ部2bを物理的な負荷がかからない状態で支持するループガイド24を備えることとしたから、ループガイド24にループ部2bを係止することにより、レンズ２を所定位置に位置決めすることができると共に、スライダー15によりループ部2bが押されることがないので、ループ部2bの変形を防止することができる。
【００４５】
また、前記スライダー15は、前記挿通部と前記ループガイド24との間に隔壁29を設けたから、スライダー15がループ部2bに当接することがないので、ループ部2bがスライダー15に押されて破損することを防ぐことができる。
【００４６】
また、レンズ２をレンズ設置部８に設置した状態で滅菌することとしたから、他の物質により汚染するのを防いで、安全性を向上することができる。
【００４７】
また、前記本体３は、前記スライダー15を所定位置で停止させるストッパ13を備えることとしたから、ストッパ13により所定位置でスライダー15を停止するので、操作の確実性をより向上することができる。
【００４８】
また、レンズ押え部25がヒンジ機構28を介して揺動可能に設けられていることにより、スライダー15を押し出してレンズ２を移動させるときにのみレンズ２の光学部2aを押えるので、レンズ２に余計な負荷をかけずに保存することができる。
【００４９】
また、操作部23は、前記基端部材５の一方向からのみ外側に突出して形成してもよい。この場合、片手で操作部23を操作してスライダー15を移動させることができるので、使い勝手を向上することができる。
【００５０】
また、操作部23は、前記本体３の先端に向かって外側へ膨出形成されていると共に、表面には複数の縦溝を形成したから、操作部23を指で操作する場合、摩擦抵抗が増え、すべりを防止し、操作の確実性を向上することができる。
【００５１】
また、ガイド溝21の基端には扇状の導入路21aを設けたから、プランジャー16を組み付ける際、ガイド溝21にプランジャー16を容易に挿通することができる。
【００５２】
また、プランジャー16はグリップ部18に軸支されているので、グリップ部18を回動して押出杆17をレンズ進行軸Ａ方向に押し出しても、プランジャー16が回転することなくレンズ２をスムーズに押し出すことができる。
【実施例２】
【００５３】
次に本発明の第２実施例について説明する。上記構成と同様の構成については同様の符号を付し、簡単のため説明を省略する。具体的には、レンズ２を設置し該レンズ２を眼内へ挿入する本体３と、前記レンズ設置部８に設置されたレンズ２を押し出すレンズ押出機構４とを備える点において共通し、ロック機構30を備える点においてのみ異なる。
【００５４】
ロック機構30は、プランジャー16をロックし、スライダー15を押し出したときにのみ解除可能となるものである。このロック機構30は、着脱自在に設けたロック部材31と、プランジャー16に設けたロック受部32とからなる。
【００５５】
ロック部材31は、図６に示すように、湾曲状に形成されたロック部本体33と、該ロック部本体33の両側に一体的に設けられた腕部34と、前記ロック部本体33の内側略中央に立設されたロック部35とからなる。ロック部本体33は、筒状の前記本体３の外形よりやや大きい湾曲形状をなし、本体３に外嵌される。腕部34は、ロック部本体33の端部を折り返して形成され、ロック部本体33の外側との間に前記スライダー15の操作部23を挿入する隙間36が形成される。ロック部35は、ロック部本体33の内側から垂直に伸びる円柱状の部材で構成され、プランジャー16に設けられたロック受部32に嵌合する。ロック受部32は、プランジャー16に形成された貫通穴で構成される。尚、このロック部35は、円柱に限らず、四角柱などの多角形状で構成してもよく、この場合、ロック受部32はロック部35の形状に合わせて形成されることはいうまでもない。
【００５６】
上記のように構成されたロック機構30の組み付け手順について図７を参照して説明する。先ず、ロック部材31をプランジャー16を挿入した本体３に底面側から組み付ける（図７（Ａ））。すなわち、本体３に予め穿設した穴Ｈからロック部35を挿通し、さらに、ロック部35の先端をプランジャー16に設けたロック受部32に嵌合し、ロック部材31を本体３に組み付ける（図７（Ｂ））。このようにして、プランジャー16は本体３に形成された穴Ｈに挿通したロック部35を介して本体３にロックされる。
【００５７】
次いで、翼部22を前記スリット９に係合し、スリット９の基端までスライダー15を押込む。スライダー15を押込むと、腕部34とロック部本体33の外側との間に形成された隙間36に操作部23が挿入される（図７（Ｃ））。このように隙間36に操作部23が挿入されると、ロック部材31がスライダー15により固定される。すなわち、ロック部本体33が、本体３に当接した位置において、腕部34がスライダー15の操作部23に係合することにより、ロック部材31が固定される。
【００５８】
組み付けられたロック機構30は、上記手順と逆の手順により解除される。先ず、スライダー15を先端側へ押し出す。スライダー15を先端側へ押し出すと、操作部23が腕部34から離れ、係合を解除する。操作部23が腕部34との係合を解除するとはじめてロック部材31を底面側へ引き離すことができる。このようにして、スライダー15を先端側へ押し出したときにのみ、すなわち、レンズ２を眼内へ挿入する場合にのみロック機構30を解除することができるので、安全性を向上することができる。
【００５９】
上記のように本実施例では、眼内レンズ挿入用器具１は、前記プランジャー16をロックするロック機構30を備え、前記ロック機構30はスライダー15を移動させることにより解除可能となるように構成したから、スライダー15を移動させる前に誤ってプランジャー16を押し出してしまうことを防ぐことができるので、操作の安全性及び確実性を向上することができる。
【実施例３】
【００６０】
次に本発明の第３実施例について説明する。上記構成と同様の構成については同様の符号を付し、簡単のため説明を省略する。具体的には、レンズ２を設置し該レンズ２を眼内へ挿入する本体３と、前記レンズ設置部８に設置されたレンズ２を押し出すレンズ押出機構４とを備える点において共通し、上記第２実施例におけるロック機構30の構成においてのみ異なる。
【００６１】
ロック機構30は、プランジャー16をロックし、スライダー15を押し出す動作に連動して解除可能となるものである。このロック機構30は、スライダー15に設けられた係止部40と、該係止部40が係止する係止穴41と、プランジャー16に設けられた円板部42とからなる。
【００６２】
係止部40は、レンズ進行軸Ａを中心に左右一対として設けられ、スライダー15の後端から本体３の他端側へ延びる揺動片43と、該揺動片43の先端に設けられた係止片44とからなる。この係止片44は、本体３の外側へ屈曲してなり、本体３に設けられた前記係止穴41に係止し、該係止穴41から本体３の外側へ突出している。揺動片43は、平面視で本体３の内外方向へ揺動可能に設けられており、前記係止片44が本体３の内側3aへ当接したときレンズ進行軸Ａに平行となるように形成されている。揺動片43の幅Ｔ１は、係止片44の幅Ｔ２より大きく形成されている。尚、係止片44は、揺動片43とのなす角が鈍角となるように構成されている。
【００６３】
円板部42は、押出杆17と同心円状に形成され、押出杆17を中心として左右一対の横溝45が設けられている。横溝45は、前記係止部40と相似する形状であって、押出杆17の中心に向かって幅が広い底部46と、円板部42の周縁部分に一対の突起47とを設けている。このようしてプランジャー16は、突起47が前記揺動片43に当接することによってロックされる。
【００６４】
次に上記構成の作用について説明する。先ず、スライダー15を先端側へ押し出す。スライダー15を押し出すと、係止片44が係止穴41に当接し、揺動片43とのなす角が鈍角となるように形成されていることにより、係止穴41の内縁に沿ってスライドする。そうすると、揺動片43が本体３の内側方向へ揺動し、さらにスライダー15を先端側へ押し出すと、係止片44が係止穴41を乗り越え、係止片44の先端が本体３の内側に当接する。係止片44の先端が本体３の内側に当接したとき、揺動片43はレンズ進行軸Ａに対し平行となり、正面視で揺動片43が横溝45の底部46の位置へ移動し、ロックが解除される（図９）。このようにロックが解除されると、プランジャー16は、円板部42が係止部40を通過することによって、レンズ２を押し出すことができる（図１０）。
【００６５】
上記のように本実施例では、眼内レンズ挿入用器具１は、前記ロック機構30が、前記スライダー15を移動させるとスライダー15に連動して解除されることとしたから、スライダー15の移動に連動してロック機構30が解除されるので、操作性を向上することができる。
【００６６】
また、本体３の内側に係止片44を案内する案内溝（図示しない）を設けてもよい。この案内溝は、係止穴41を基点として、レンズ進行軸Ａ方向に延び、前記係止片44の先端が係合する溝で構成される。この案内溝を本体３の内側に設けることにより、スライダー15を移動しロックが解除された場合でも、スライダー15がレンズ進行軸Ａを中心として回動するのを防ぐことができるので、確実に円板部42が係止部40を通過することができ、プランジャー16がレンズ２を押し出すことができる。
【００６７】
本発明は、本実施形態に限定されるものではなく、本発明の要旨の範囲内で種々の変形実施が可能である。上記実施例では、基端部材５とプランジャー16とはネジで螺合することとしたが、本発明はこれに限らず、プランジャー16にパッキンを設け、該パッキンを介して基端部材５内を摺動するように構成してもよい。また、ロック部35は円柱状の部材とし、ロック受部32は、プランジャー16に形成された貫通穴としたが、本発明はこれに限らず、ロック部35を二股の支柱部材とし、ロック受部32をプランジャー16の長手方向に対して直角に形成した溝としてもよい。また、プランジャー16を本体３の基端側へ付勢する付勢部材、例えばコイルバネを装填することとしてもよい。
【実施例４】
【００６８】
次に本発明の第４実施例について図１１（Ａ）を参照して説明する。上記構成と同様の構成については同様の符号を付し、簡単のため説明を省略する。本実施例に係るスライダー51は、操作部を備えておらず、レンズ押出機構６は、スライダー51とプランジャー52とが連動可能に設けられている。前記スライダー51はレンズ２の進行軸Ａに沿ってガイド溝21が形成され、該ガイド溝21内に凸部51aが設けられている。前記プランジャー52には、前記凸部51aと係合する凹部52aが円周上に形成されている。このプランジャー52は、前記ガイド溝21内に挿通され、レンズ進行軸Ａの前後方向に移動可能に配置される。
【００６９】
このように構成されたレンズ押出機構６において、プランジャー52を前方に移動させると、凹部52aが凸部51aに係合する。凹部52aが凸部51aに係合すると、スライダー51がプランジャー52と連動してレンズ進行軸Ａ方向に移動する（図１１（Ｂ））。プランジャー52と共にレンズ進行軸Ａ方向に移動したスライダー51は、ストッパに当接すると、停止する。プランジャー52をレンズ進行軸Ａ方向にさらに押込むと、凹部52aが凸部51aから外れ、スライダー51とプランジャー52との結合が外れる。これにより、プランジャー52が単独で移動可能になり、レンズ２は、プランジャー52により押し出される。
【００７０】
上記のように、スライダー操作部を備えていないスライダー51に対しても、ループガイド24と、レンズ押え部25とを設けることができる。
【符号の説明】
【００７１】
１  眼内レンズ挿入用器具
２  レンズ
３  本体
４  レンズ押出機構
８  レンズ設置部
11  ノズル部
12  移行部
15  スライダー
16  プランジャー
20  レンズ当接部
23  操作部
25  レンズ押え部
28  ヒンジ機構
30  ロック機構
【図１】
0005246316.tif 000002
【図２】
0005246316.tif 000003
【図３】
0005246316.tif 000004
【図４】
0005246316.tif 000005
【図５】
0005246316.tif 000006
【図６】
0005246316.tif 000007
【図７】
0005246316.tif 000008
【図８】
0005246316.tif 000009
【図９】
0005246316.tif 000010
【図１０】
0005246316.tif 000011
【図１１】
0005246316.tif 000012